(57)【要約】【課題】データ容量の大きな動画像を見ながら任意の区間を選択して、端末装置にデータを送信することを可能とする。【解決手段】表示部３２は、撮影装置１４により取得された動画データをリアルタイムに表示する。受付部３４は、妊婦等の利用者がスイッチ２２のオンオフを操作することにより、表示部３２に順次表示された動画データの端末装置１２への送信開始タイミングと送信終了タイミングを受け付ける。制御部３０は、受付部３４により送信開始タイミングを受け付けると、端末装置１２との間でＷｉＧｉｇ回線による無線送受信を行って、撮影装置１４により取得された動画データの送信を開始し、受付部３４により送信終了タイミングを受け付けると、撮影装置１４により取得された動画データの送信を終了するよう制御する。【選択図】図３
2018164176.tif 000002
【特許請求の範囲】
【請求項１】
ミリ波高速無線通信により端末装置との間で無線送受信を行う無線送受信手段と、
動画データを取得するデータ取得手段と、
前記データ取得手段により取得された動画データを順次表示する表示手段と、
前記表示手段により順次表示された動画データの送信開始タイミングと送信終了タイミングを受け付けるための受付手段と、
前記受付手段により送信開始タイミングを受け付けると、前記無線送受信手段により無線送受信を行って、前記データ取得手段により取得された動画データの前記端末装置への送信を開始し、前記受付手段により送信終了タイミングを受け付けると、前記データ取得手段により取得された動画データの前記端末装置への送信を終了するよう制御する制御手段と、
を備えたデータ送信システム。
【請求項２】
前記端末装置の残容量に関する情報を取得する残容量取得手段を有し、
前記表示手段は、前記残容量取得手段により取得された前記端末装置の残容量に関する情報に基づいて、前記端末装置が前記データ取得手段により取得された動画データを受信可能な時間を表示する請求項１記載のデータ送信システム。
【請求項３】
前記表示手段は、前記残容量取得手段により取得された前記端末装置の残容量が予め設定された値以下である場合には、前記端末装置が前記データ取得手段により取得された動画データを受信できないことを表示する請求項２記載のデータ送信システム。
【請求項４】
前記動画データは、医療診断用動画データである請求項１から３のいずれか記載のデータ送信システム。
【請求項５】
動画データを取得するステップと、
取得された動画データを順次表示するステップと、
順次表示された動画データの送信開始タイミングを受け付けると、ミリ波高速無線通信により端末装置と無線送受信を行って、取得された動画データの前記端末装置への送信を開始し、送信終了タイミングを受け付けると、取得された動画データの前記端末装置への送信を終了するステップと、
をコンピュータに実行させるためのプログラム。
【発明の詳細な説明】
【技術分野】
【０００１】
本発明は、データ送信システムおよびプログラムに関する。
【背景技術】
【０００２】
特許文献１には、妊婦体内の胎児像と出産後の新生児像を撮影する撮影部と、インターネットを介して受信し画像編集を行うサーバコンピュータと、静止及び動画像を受信して再生でき、コメントを送信できる担当医師用端末と、再生画像に合わせてコメントが入力でき画像編集部に送信できる母親用端末と、を有し、コメント付き画像編集手段を備え、編集済み画像は各種画像受信端末にあった再生形式に変換して送出可能としてなり、対応した再生機器により閲覧可能としたことを特徴とする胎児画像及び新生児画像の提供システムが開示されている。
【先行技術文献】
【特許文献】
【０００３】
【特許文献１】特開２０１２−２３１２２８号公報
【発明の概要】
【発明が解決しようとする課題】
【０００４】
本発明の目的は、データ容量の大きな動画像を見ながら任意の区間を選択して端末装置にデータを送信することが可能なデータ送信システムおよびプログラムを提供することである。
【課題を解決するための手段】
【０００５】
［データ送信システム］
請求項１に係る本発明は、ミリ波高速無線通信により端末装置との間で無線送受信を行う無線送受信手段と、動画データを取得するデータ取得手段と、前記データ取得手段により取得された動画データを順次表示する表示手段と、前記表示手段により順次表示された動画データの送信開始タイミングと送信終了タイミングを受け付けるための受付手段と、前記受付手段により送信開始タイミングを受け付けると、前記無線送受信手段により無線送受信を行って、前記データ取得手段により取得された動画データの前記端末装置への送信を開始し、前記受付手段により送信終了タイミングを受け付けると、前記データ取得手段により取得された動画データの前記端末装置への送信を終了するよう制御する制御手段と、を備えたデータ送信システムである。
【０００６】
請求項２に係る本発明は、前記端末装置の残容量に関する情報を取得する残容量取得手段を有し、前記表示手段は、前記残容量取得手段により取得された前記端末装置の残容量に関する情報に基づいて、前記端末装置が前記データ取得手段により取得された動画データを受信可能な時間を表示する請求項１記載のデータ送信システムである。
【０００７】
請求項３に係る本発明は、前記表示手段は、前記残容量取得手段により取得された前記端末装置の残容量が予め設定された値以下である場合には、前記端末装置が前記データ取得手段により取得された動画データを受信できないことを表示する請求項２記載のデータ送信システムである。
【０００８】
請求項４に係る本発明は、前記動画データは、医療診断用動画データである請求項１から３のいずれか記載のデータ送信システムである。
【０００９】
［プログラム］
請求項５に係る本発明は、動画データを取得するステップと、取得された動画データを順次表示するステップと、順次表示された動画データの送信開始タイミングを受け付けると、ミリ波高速無線通信により端末装置と無線送受信を行って、取得された動画データの前記端末装置への送信を開始し、送信終了タイミングを受け付けると、取得された動画データの前記端末装置への送信を終了するステップと、をコンピュータに実行させるためのプログラムである。
【発明の効果】
【００１０】
請求項１に係る本発明によれば、データ容量の大きな動画像を見ながら任意の区間を選択して端末装置にデータを送信することが可能なデータ送信システムを提供することができる。
【００１１】
請求項２に係る本発明によれば、端末装置の残容量に関する情報を取得しない場合と比較して、端末装置への送信が強制終了されてしまうことを防止することが可能なデータ送信システムを提供することができる。
【００１２】
請求項３に係る本発明によれば、端末装置の残容量が予め設定された値以下である場合に、この端末装置が動画データを受信できないことを表示しない場合と比較して、端末装置への送信が強制終了されてしまうことを防止することが可能なデータ送信システムを提供することができる。
【００１３】
請求項４に係る本発明によれば、データ容量の大きな動画像を見ながら任意の区間を選択して端末装置に医療診断用動画データを送信することが可能なデータ送信システムを提供することができる。
【００１４】
請求項５に係る本発明によれば、データ容量の大きな動画像を見ながら任意の区間を選択して端末装置にデータを送信することが可能なプログラムを提供することができる。
【図面の簡単な説明】
【００１５】
【図１】本発明の一実施形態の医療診断用動画送信システム１０を説明するための図である。
【図２】本発明の一実施形態における医療診断用動画送信システム１０のハードウェア構成を示すブロック図である。
【図３】本発明の一実施形態における医療診断用動画送信システム１０の機能構成を示すブロック図である。
【図４】本発明の一実施形態の医療診断用動画送信システム１０における動作を説明するためのフローチャートである。
【図５】図４のフローチャートのステップＳ１０５において説明した端末装置の残容量に関する情報を取得する動作の詳細を説明するためのフローチャートである。
【図６】本発明の一実施形態の医療診断用動画送信システム１０における表示部３２に表示される表示画面の一例を説明するための図である。
【図７】本発明の一実施形態の医療診断用動画送信システム１０における表示部３２に表示される表示画面の一例を説明するための図である。
【発明を実施するための形態】
【００１６】
次に、本発明の実施の形態について図面を参照して詳細に説明する。
【００１７】
総合病院や産婦人科医院などで妊婦や胎児の健康状態や胎児の発育状態を確認するために定期的に診察が行われる。定期健診では、超音波撮影装置を用いて、例えば３Ｄエコーや４Ｄエコー等により妊婦の胎児の画像を撮影し、モニタに表示して診察が行われる。
本発明の一実施形態の医療診断用動画送信システム１０は、スマートフォン（以下、スマホと略す。）、タブレット端末等の移動可能な端末装置１２に、撮影装置１４によって撮影された４Ｄエコーの胎児の動画像等の動画データを送信するためのものである。４Ｄエコーとは、妊婦健診で行う超音波検査の一つであり、お腹の赤ちゃんの仕草や表情等の様子を立体的に、かつ、リアルタイムの動画で見ることができる。
【００１８】
本実施形態の医療診断用動画送信システム１０では、端末装置１２に専用のアプリケーションプログラムをインストールすることにより、この端末装置１２に撮影装置１４によって撮影された４Ｄエコーの胎児の動画像等の動画データを送信できるようにしている。
【００１９】
４Ｄエコーの動画像は、データ容量が大きく、診察後にＤＶＤ等に録画して渡される。ＤＶＤに録画される部分は、一回の診察のうちの一部となっており、妊婦等の利用者が後に見たい動画が録画されていない場合がある。また、日常生活において、端末装置は、ＤＶＤよりも簡単に再生でき、使い勝手がよい。また、動画データをサーバに保存し、利用者が、インターネット回線を利用してサーバにアクセスして動画データを取得することができるが、総合病院や産婦人科医院等の病院側でサーバを用意する必要があり、導入の足かせになっている。
【００２０】
そこで、本実施形態の医療診断用動画送信システム１０では、ＷｉＧｉｇ（登録商標）と呼ばれるミリ波高速無線通信を利用して、妊婦等の端末装置１２に４Ｄエコーの動画像等の大容量の動画データを送信するようにしている。
【００２１】
先ず、本実施形態の医療診断用動画送信システム１０により動画データの送信が行われる様子を図１に示す。
【００２２】
図１では、総合病院や産婦人科医院等の病院の診察室において、撮影装置１４を用いて、妊婦の４Ｄエコー検査（４Ｄ超音波検査）が行われている。
【００２３】
４Ｄエコー検査では、プローブ１６を妊婦の腹部にあてることにより、撮影装置１４のモニタ１８にお腹の中の胎児が立体的な動画像でリアルタイムに表示される。
【００２４】
撮影装置１４には、端末装置１２との間で上述したＷｉＧｉｇ通信を行う無線通信部２０が設けられている。
【００２５】
撮影装置１４には、動画データの端末装置１２への送信開始タイミングと送信終了タイミングを決定するスイッチ２２が接続されている。
【００２６】
つまり、妊婦は、モニタ１８にリアルタイムに表示されている胎児の動画像を見ながらスイッチ２２を操作することにより、任意のタイミングで、ＷｉＧｉｇ通信を介して、動画データを端末装置１２へ送信することができる。なお、動画データが送信される際の詳細な処理については後述する。
【００２７】
次に、本実施形態の医療診断用動画送信システム１０のハードウェア構成を図２を参照して説明する。
【００２８】
本実施形態の医療診断用動画送信システム１０は、図２に示されるように、ＣＰＵ２４、メモリ２５、ハードディスクドライブ（ＨＤＤ）等の記憶装置２６、ＷｉＧｉｇ通信規格に基づく無線通信を行う無線通信部２０、タッチパネル又は液晶ディスプレイ並びにキーボードを含むユーザインタフェース（ＵＩ）装置２７、４Ｄエコーを撮影する撮影装置１４を有する。これらの構成要素は、制御バス２８を介して互いに接続されている。
【００２９】
ＣＰＵ２４は、メモリ２５または記憶装置２６に格納された制御プログラムに基づいて所定の処理を実行して、医療診断用動画送信システム１０の動作を制御する。なお、本実施形態では、ＣＰＵ２４は、メモリ２５または記憶装置２６内に格納された制御プログラムを読み出して実行するものとして説明したが、当該プログラムをＣＤ−ＲＯＭ等の記憶媒体に格納してＣＰＵ２４に提供することも可能である。
【００３０】
図３は、上記の制御プログラムが実行されることにより実現される医療診断用動画送信システム１０の機能構成を示すブロック図である。
【００３１】
本実施形態の医療診断用動画送信システム１０は、図３に示されるように、無線通信部（ＷｉＧｉｇ）２０と、制御部３０と、撮影装置１４と、表示部３２と、受付部３４と、残容量取得部３６と、を備えている。
【００３２】
撮影装置１４は、動画データを取得するデータ取得部として用いられる。
【００３３】
表示部３２は、例えば撮影装置１４のモニタ１８であり、撮影装置１４により取得された動画データをリアルタイムに表示する。
【００３４】
受付部３４は、妊婦等の利用者がスイッチ２２のオンオフを操作することにより、表示部３２に順次表示された動画データの端末装置１２への送信開始タイミングと送信終了タイミングを受け付ける。
【００３５】
そして、制御部３０は、受付部３４により送信開始タイミングを受け付けると、端末装置１２との間でＷｉＧｉｇ回線による無線送受信を行って、撮影装置１４により取得された動画データの送信を開始し、受付部３４により送信終了タイミングを受け付けると、撮影装置１４により取得された動画データの送信を終了するよう制御する。
【００３６】
残容量取得部３６は、動画データを送信する端末装置１２の記憶装置における残容量（空き容量）に関する情報を取得する。
【００３７】
そして、制御部３０は、残容量取得部３６により取得された端末装置１２の残容量に関する情報に基づいて、端末装置１２が撮影装置１４により取得された動画データを受信可能な時間を表示部３２に表示するよう制御する。
【００３８】
そして、制御部３０は、端末装置１２の残容量が予め設定された値以下である場合には、この端末装置１２は残容量不足のため撮影装置１４により取得された動画データを受信できないことを表示部３２に表示するよう制御する。
【００３９】
無線通信部２０は、特定の通信エリアにある端末装置１２との間でＷｉＧｉｇ回線による無線送受信を行う。
【００４０】
そして、制御部３０は、撮影装置１４によって撮影されている動画データをリアルタイムに端末装置１２に送信するよう無線通信部２０を制御する。
【００４１】
また、無線通信部２０を介して端末装置１２に送信するデータには、４Ｄエコー動画像等の医療診断用動画データ等のデータ容量の大きいデータが含まれる。
【００４２】
そして、制御部３０は、無線通信部２０を介して、ＷｉＧｉｇ回線により端末装置１２に動画データを送信する。
【００４３】
本実施形態では、データ送信速度の速いＷｉＧｉｇ通信を用いてデータ送信が行われるため、短時間においてもデータ容量の大きいデータを送信することが可能である。
【００４４】
次に、本実施形態の医療診断用動画送信システム１０の動作を図面を参照して詳細に説明する。
【００４５】
先ず、本実施形態の医療診断用動画送信システム１０における動作を図４のフローチャートを参照して説明する。
【００４６】
制御部３０は、プローブ１６により妊婦の胎児のエコー動画像が撮影されると、動画データを取得し（ステップＳ１０１）、順次、表示部３２に表示するよう制御する（ステップＳ１０２）。
【００４７】
そして、制御部３０は、無線通信部２０を介して所定範囲内にある端末装置１２を検出するよう制御する（ステップＳ１０３）。
【００４８】
そして、制御部３０は、残容量取得部３６により、無線通信部２０を介して、端末装置１２からこの端末装置１２の端末情報と残容量に関する情報を取得すると、表示部３２に表示するよう制御する（ステップＳ１０４，Ｓ１０５）。この残容量に関する情報を取得する動作については、後述する。
【００４９】
そして、制御部３０は、受付部３４により、動画データの送信開始タイミングを受け付けると（ステップＳ１０６）、端末装置１２にＷｉＧｉｇ回線により動画データの送信を開始するよう制御する（ステップＳ１０７）。具体的には、妊婦等の利用者が、表示部３２に表示されている胎児のエコー動画像を見ながら任意のタイミングでスイッチ２２をオンにすることにより、その時点からの動画データの送信が開始され、端末装置１２は、動画データの受信を開始する（ステップＳ１０８）。
【００５０】
そして、制御部３０は、受付部３４により、動画データの送信終了タイミングを受け付けると（ステップＳ１０９）、端末装置１２への動画データの送信を終了するよう制御する（ステップＳ１１０）。具体的には、妊婦等の利用者が、表示部３２に表示されている胎児のエコー動画像を見ながら任意のタイミングでスイッチ２２をオフにすることにより、その時点で動画データの送信が終了され、端末装置１２は、動画データの受信を終了する（ステップＳ１１１）。
【００５１】
次に、図４のフローチャートのステップＳ１０５において説明した端末装置１２の残容量に関する情報を取得する動作の詳細について図５のフローチャートを参照して説明する。なお、図５に示す動作は、ＷｉＧｉｇ通信に限らず、Ｗｉ−Ｆｉ（登録商標）等の他の無線、有線による通信を利用して行うことができる。
【００５２】
制御部３０は、端末装置１２と通信を行って、残容量取得部３６により、端末装置１２の残容量に関する情報を取得すると（ステップＳ２０１）、表示部３２に端末装置１２の残容量を表示するよう制御する（ステップＳ２０２）。
【００５３】
そして、制御部３０は、端末装置１２の残容量が、予め設定された値以下であるか否かを判定する（ステップＳ２０３）。そして、端末装置１２の残容量が予め設定された値よりも多い場合には（ステップＳ２０３においてＮｏ）、例えば図６に示すように、表示部３２に端末装置１２の残容量を表示するよう制御する。なお、図６に示すように、表示部３２には残容量から算出される録画の見積時間を合わせて表示するよう制御してもよい。そして、ＯＫボタンが押され、受付部３４により動画データの送信開始タイミングを受け付けると（ステップＳ１０６）、端末装置１２への動画データの送信を開始するよう制御する（ステップＳ１０７）。
【００５４】
このとき、妊婦等の端末装置１２の所有者が、表示部３２に表示されている残容量を確認し、端末装置１２内のデータを削除等して残容量を増やしてからスイッチ２２を操作することにより動画データの送信を開始するようにすることもできる。
【００５５】
また、制御部３０は、端末装置１２の残容量が予め設定された値以下である場合には（ステップＳ２０３においてＹｅｓ）、例えば図７に示すように、表示部３２に、端末装置１２は残容量不足のため、動画データを受信できないことを表示するよう制御する（ステップＳ２０４）。
【００５６】
そして、端末装置１２内のデータが削除される等により、端末装置１２の残容量が予め設定された値より多くなった場合には（ステップＳ２０３においてＮｏ）、制御部３０は、端末装置１２への動画データの送信を開始するよう制御する（ステップＳ１０７）。
【００５７】
このように本実施形態の医療診断用動画送信システム１０によれば、妊婦等の利用者は、任意のタイミングで胎児の４Ｄエコー画像データ等の動画データを自分の端末装置１２に送信・保存できることとなる。
【００５８】
なお、端末装置１２の残容量が予め設定された値以下である場合に（ステップＳ２０３においてＹｅｓ）、ＤＶＤやＵＳＢメモリ等の外部記録媒体に動画データを送信・保存するようにすることもできる。
【００５９】
すなわち、本実施形態の医療診断用動画システム１０では、大容量のデータを送信可能なミリ波高速無線通信によりデータの送信が行われるため、端末装置１２の残容量を確認した上で、送信が強制終了されることなく保存することが可能である。
【００６０】
[変形例]
上記実施形態では、胎児の４Ｄエコー画像の画像データを、スマホ等の端末装置に送信する場合を用いて説明したが、本発明はこれに限定されるものではない。例えば、解像度の高い静止画像データや、他の動画データ等を送信するような場合でも同様に本発明を適用することができるものである。
【００６１】
また、本発明は、医療診断用動画データを端末装置に送信する場合だけでなく、医療診断用以外の他のデータを端末装置に送信するようなデータ送信システムに対しても同様に適用することができるものである。
【符号の説明】
【００６２】
１０    医療診断用動画送信システム
１２    端末装置
１４    撮影装置
１６    プローブ
１８    モニタ
２０    無線通信部（ＷｉＧｉｇ）
２２    スイッチ
２４    ＣＰＵ
２５    メモリ
２６    記憶装置
２７    ＵＩ装置
２８    制御バス
３０    制御部
３２    表示部
３４    受付部
３６    残容量取得部
【図１】
2018164176.tif 000003
【図２】
2018164176.tif 000004
【図３】
2018164176.tif 000005
【図４】
2018164176.tif 000006
【図５】
2018164176.tif 000007
【図６】
2018164176.tif 000008
【図７】
2018164176.tif 000009